(57)【要約】【課題】記録メディアに効率よく医用画像情報を書き込む。【解決手段】データ管理サーバ１０は、記憶装置１５に保存されている医用画像情報とともに、医用画像情報が保存されている保存先のネットワーク上のアドレス情報をメディアに電子的に書き込む。アドレス情報には、画像識別情報とメディア識別情報とが含まれる。データ管理サーバ１０とネットワークＮを介して接続された一般ＰＣ２０では、メディアに書き込まれたアドレス情報に基づいて医用画像情報の保存先にアクセスする。データ管理サーバ１０では、アドレス情報に含まれるメディア識別情報に基づいてメディアを識別し、メディア識別情報に対応付けられて記憶されているアクセス権限に基づいて医用画像情報を閲覧する際の機能制限を行う。【選択図】図１
2009301072.tif 000002
【特許請求の範囲】
【請求項１】
医用画像情報とともに、当該医用画像情報が保存されている保存先のネットワーク上のアドレス情報を記録メディアに電子的に書き込む書き込み手段を備えたことを特徴とする医用情報提供装置。
【請求項２】
前記アドレス情報は、前記医用画像情報の識別情報と前記記録メディアの識別情報とを含むことを特徴とする請求項１に記載の医用情報提供装置。
【請求項３】
前記記録メディアの識別情報と前記記録メディアを使用するユーザのアクセス権限とを対応付けて記憶する記憶手段と、
前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う制御手段と、
を備えたことを特徴とする請求項２に記載の医用情報提供装置。
【請求項４】
前記医用画像情報は、ＤＩＣＯＭ（Digital Imaging and Communications in Medicine）規格に則った医用画像情報であることを特徴とする請求項１〜３のいずれか一項に記載の医用情報提供装置。
【請求項５】
医用画像情報とともに、当該医用画像情報が保存されている保存先のネットワーク上のアドレス情報を記録メディアに電子的に書き込む書き込み手段を備えた医用情報提供装置と、
前記医用情報提供装置とネットワークを介して接続され、前記記録メディアに書き込まれたアドレス情報に基づいて前記医用画像情報の保存先にアクセスするアクセス手段を備えた端末装置と、
を備えたことを特徴とする医用情報提供システム。
【請求項６】
前記アドレス情報は、前記医用画像情報の識別情報と前記記録メディアの識別情報とを含むことを特徴とする請求項５に記載の医用情報提供システム。
【請求項７】
前記医用情報提供装置は、
前記記録メディアの識別情報と前記記録メディアを使用するユーザのアクセス権限とを対応付けて記憶する記憶手段と、
前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う制御手段と、
を備えたことを特徴とする請求項６に記載の医用情報提供システム。
【請求項８】
前記医用画像情報は、ＤＩＣＯＭ規格に則った情報であることを特徴とする請求項５〜７のいずれか一項に記載の医用情報提供システム。
【請求項９】
コンピュータを、
医用画像情報とともに、当該医用画像情報が保存されている保存先のネットワーク上のアドレス情報を記録メディアに電子的に書き込む手段として機能させるためのプログラム。
【請求項１０】
前記アドレス情報は、前記医用画像情報の識別情報と前記記録メディアの識別情報とを含むことを特徴とする請求項９に記載のプログラム。
【請求項１１】
前記コンピュータを、さらに、
前記記録メディアの識別情報と前記記録メディアを使用するユーザのアクセス権限とを対応付けて記憶手段に記憶させる手段、
前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う手段、
として機能させることを特徴とする請求項１０に記載のプログラム。
【請求項１２】
前記医用画像情報は、ＤＩＣＯＭ規格に則った情報であることを特徴とする請求項９〜１１のいずれか一項に記載のプログラム。
【発明の詳細な説明】
【技術分野】
【０００１】
本発明は、医用画像情報を提供する医用情報提供装置、医用情報提供システム及びプログラムに関する。
【背景技術】
【０００２】
医療の分野では、患者を撮影した医用画像のデジタル化が実現されている。デジタル化は、ＣＲ（Computed Radiography）装置、ＣＴ（Computed Tomography）装置、ＭＲＩ（Magnetic Resonance Imaging）装置等の画像生成装置、カセッテ読み取り装置等の各種モダリティにより行われる。デジタル化された医用画像は、患者の患者情報や検査情報等とともに管理サーバにより一元的に管理される。具体的には、医用画像とＤＩＣＯＭ（Digital Imaging and Communications in Medicine）規格に適合するＤＩＣＯＭ基本情報とがデータベースに登録された医用画像管理システム（以下、ＰＡＣＳ（Picture Archiving and Communication System）という。）が用いられている。
【０００３】
例えば、医療画像と、医療情報ファイルのネットワーク上のアドレス情報とを関連付けて記憶することで、効率よく情報を保管する医療情報提供装置が提案されている（特許文献１参照）。
【０００４】
また、ＰＡＣＳで管理される医用画像情報を他のシステムや一般患者へ提供する方法として、ネットワークによる提供とは別に、ＩＨＥ（Integrating the Healthcare Enterprise）におけるＰＤＩ（Portable Data for Imaging）に対応した記録メディアによる提供も行われている。これは、医用画像情報をＣＤ−Ｒ（Compact Disk Recordable）やＤＶＤ−Ｒ（Digital Versatile Disk Recordable）等の記録メディアに保存し、記録メディアを搬送することによりデータの移送を行うものである。
【０００５】
既存のシステムでは、記録メディアに対してＤＩＣＯＭ規格に則った医用画像ファイル、閲覧用画像ファイル（ビットマップデータ等）、閲覧機能アプリケーション、画像関連情報（名前、年齢等）を書き込むことで、他のシステムや一般患者の自宅等、別の場所でも対象となる画像を見ることを可能としている。
【特許文献１】特開２００４−２８７７７３号公報
【発明の開示】
【発明が解決しようとする課題】
【０００６】
しかしながら、上記のようなメディア書き込み構成では、医用画像ファイルとは別に、閲覧用画像ファイルや閲覧機能アプリケーションを記録メディアに書き込む必要があるため、医用画像ファイルの保存用としては、実質メディア容量の半分程度しか使用することができなかった。また、ＤＩＣＯＭ規格に則った医用画像ファイルを直に閲覧するための機能を提供する場合、閲覧機能アプリケーション自体の容量が大きくなり、表示性能も悪かった。
【０００７】
本発明は、上記の従来技術における問題に鑑みてなされたものであって、記録メディアに効率よく医用画像情報を書き込むことを課題とする。
【課題を解決するための手段】
【０００８】
上記課題を解決するために、請求項１に記載の医用情報提供装置は、医用画像情報とともに、当該医用画像情報が保存されている保存先のネットワーク上のアドレス情報を記録メディアに電子的に書き込む書き込み手段を備えたことを特徴とする。
【０００９】
請求項２に記載の発明は、請求項１に記載の医用情報提供装置において、前記アドレス情報は、前記医用画像情報の識別情報と前記記録メディアの識別情報とを含むことを特徴とする。
【００１０】
請求項３に記載の発明は、請求項２に記載の医用情報提供装置において、前記記録メディアの識別情報と前記記録メディアを使用するユーザのアクセス権限とを対応付けて記憶する記憶手段と、前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う制御手段と、を備えたことを特徴とする。
【００１１】
請求項４に記載の発明は、請求項１〜３のいずれか一項に記載の医用情報提供装置において、前記医用画像情報は、ＤＩＣＯＭ規格に則った医用画像情報であることを特徴とする。
【００１２】
請求項５に記載の医用情報提供システムは、医用画像情報とともに、当該医用画像情報が保存されている保存先のネットワーク上のアドレス情報を記録メディアに電子的に書き込む書き込み手段を備えた医用情報提供装置と、前記医用情報提供装置とネットワークを介して接続され、前記記録メディアに書き込まれたアドレス情報に基づいて前記医用画像情報の保存先にアクセスするアクセス手段を備えた端末装置と、を備えたことを特徴とする。
【００１３】
請求項６に記載の発明は、請求項５に記載の医用情報提供システムにおいて、前記アドレス情報は、前記医用画像情報の識別情報と前記記録メディアの識別情報とを含むことを特徴とする。
【００１４】
請求項７に記載の発明は、請求項６に記載の医用情報提供システムにおいて、前記医用情報提供装置は、前記記録メディアの識別情報と前記記録メディアを使用するユーザのアクセス権限とを対応付けて記憶する記憶手段と、前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う制御手段と、を備えたことを特徴とする。
【００１５】
請求項８に記載の発明は、請求項５〜７のいずれか一項に記載の医用情報提供システムにおいて、前記医用画像情報は、ＤＩＣＯＭ規格に則った情報であることを特徴とする。
【００１６】
請求項９に記載の発明は、コンピュータを、医用画像情報とともに、当該医用画像情報が保存されている保存先のネットワーク上のアドレス情報を記録メディアに電子的に書き込む手段として機能させるためのプログラムである。
【００１７】
請求項１０に記載の発明は、請求項９に記載のプログラムおいて、前記アドレス情報は、前記医用画像情報の識別情報と前記記録メディアの識別情報とを含むことを特徴とする。
【００１８】
請求項１１に記載の発明は、請求項１０に記載のプログラムにおいて、前記コンピュータを、さらに、前記記録メディアの識別情報と前記記録メディアを使用するユーザのアクセス権限とを対応付けて記憶手段に記憶させる手段、前記記録メディアに書き込まれたアドレス情報に基づいて前記医用画像情報の保存先にアクセスがあった場合に、当該アドレス情報に含まれる記録メディアの識別情報に基づいて前記記録メディアを識別し、前記記憶手段から当該記録メディアの識別情報に対応するアクセス権限を取得し、当該取得されたアクセス権限に基づいて前記医用画像情報を閲覧する際の機能制限を行う手段、として機能させることを特徴とする。
【００１９】
請求項１２に記載の発明は、請求項９〜１１のいずれか一項に記載のプログラムにおいて、前記医用画像情報は、ＤＩＣＯＭ規格に則った情報であることを特徴とする。
【発明の効果】
【００２０】
請求項１、５、９に記載の発明によれば、記録メディアに医用画像情報と医用画像情報の保存先のアドレス情報を書き込むので、医用画像情報とは別に閲覧用の画像や閲覧機能アプリケーションを書き込む必要がなくなり、記録メディアの容量の大半を医用画像情報のために使用することができる。したがって、記録メディアに効率よく医用画像情報を書き込むことができる。
【００２１】
請求項２、６、１０に記載の発明によれば、記録メディアに書き込まれたアドレス情報から記録メディアを識別することができる。
【００２２】
請求項３、７、１１に記載の発明によれば、記録メディアの識別情報に対応するアクセス権限に基づいて医用画像情報を閲覧する際の機能制限を行うので、例えば、一般のユーザに対しては複雑な機能を省くことにより、不用意な操作を防止することができる。
【００２３】
請求項４、８、１２に記載の発明によれば、ＤＩＣＯＭ規格に則った医用画像情報を効率よく記録メディアに書き込むことができる。
【発明を実施するための最良の形態】
【００２４】
［第１の実施の形態］
まず、図１〜図６を参照して、本発明の第１の実施の形態における医用情報提供システム１００について説明する。
図１は、医用情報提供システム１００のシステム構成図である。
図１に示すように、医用情報提供システム１００は、データ管理サーバ１０、一般ＰＣ（Personal Computer）２０から構成され、各装置は、ＬＡＮ（Local Area Network）やＷＡＮ（Wide Area Network）等の通信回線からなるネットワークＮを介して接続されている。データ管理サーバ１０は、病院Ａ内に設置されており、記憶装置１５を備えている。病院Ａ内の通信方式としては、ＤＩＣＯＭ規格が用いられている。
【００２５】
データ管理サーバ１０は、病院Ａにおいて生成された医用画像情報、患者情報、検査情報等を保存・管理する装置であり、ＰＤＩに対応した記録メディア（以下、メディアという。）に対し、医用画像情報と医用画像情報が保存されている保存先のネットワーク上のアドレス情報を書き込む。
【００２６】
図２に、データ管理サーバ１０の機能的構成を示す。
図２に示すように、データ管理サーバ１０は、ＣＰＵ（Central Processing Unit）１１、操作部１２、表示部１３、通信部１４、記憶装置１５、ＲＯＭ（Read Only Memory）１６、ＲＡＭ（Random Access Memory）１７、メディア書き込み部１８等を備えて構成され、各部はバス１９により接続されている。
【００２７】
ＣＰＵ１１は、ＲＯＭ１６に記憶されているシステムプログラムや各種処理プログラムを読み出し、ＲＡＭ１７内に形成されたワークエリアに展開し、該プログラムに従って各部を制御する。
【００２８】
操作部１２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２９】
表示部１３は、ＬＣＤ（Liquid Crystal Display）やＣＲＴ（Cathode Ray Tube）等のモニタにより構成され、ＣＰＵ１１から入力される表示信号の指示に従って、操作部１２からの入力指示やデータ等を表示する。
【００３０】
通信部１４は、ＬＡＮアダプタ、ルータ、ＴＡ（Terminal Adapter）等を備え、ネットワークＮに接続された各装置とデータの送受信を行う。
【００３１】
記憶装置１５は、ハードディスク等の記憶装置であり、病院Ａにおいて、各種モダリティにより生成されたＤＩＣＯＭ規格に則った医用画像情報、各医用画像情報に対応する患者情報や検査情報等の画像関連情報を保存する。医用画像情報は、患者、検査日、モダリティ毎のフォルダにより分類されている。また、記憶装置１５は、メディアの識別情報（以下、メディア識別情報という。）とメディアを使用するユーザのアクセス権限とを対応付けて記憶する。メディア識別情報は、メディアの製造番号等、メディア毎に異なる情報であって、メディア識別情報によってメディアを識別することができる。
【００３２】
ＲＯＭ１６は、不揮発性の半導体メモリ等により構成され、ＣＰＵ１１で実行されるシステムプログラム、メディア書き込み処理プログラムを始めとする各種処理プログラム、各種データ等を記憶する。これらの各種プログラムは、読み取り可能なプログラムコードの形態で格納され、ＣＰＵ１１は、当該プログラムコードに従った動作を逐次実行する。
【００３３】
ＲＡＭ１７は、ＣＰＵ１１により実行制御される各種処理において、ＲＯＭ１６から読み出された各種プログラム、入力若しくは出力データ、及びパラメータ等を一時的に記憶する記憶領域を形成する。
【００３４】
メディア書き込み部１８は、メディアに対して、記憶装置１５に保存されている医用画像情報とともに、医用画像情報が保存されている保存先のネットワーク上のアドレス情報を電子的に書き込む。医用画像情報はＰＤＩにおけるＤＣＭファイルとして、アドレス情報はOtherファイルとして書き込まれる。アドレス情報は、医用画像情報の識別情報（以下、画像識別情報という。）とメディア識別情報とを含む。メディアとしては、ＣＤ−ＲやＤＶＤ−Ｒ等が用いられる。
【００３５】
ＣＰＵ１１は、メディアに書き込まれたアドレス情報に基づいて医用画像情報の保存先にアクセスがあった場合に、アドレス情報に含まれるメディア識別情報に基づいてメディアを識別し、記憶装置１５からメディア識別情報に対応するアクセス権限を取得し、取得されたアクセス権限に基づいて医用画像情報を閲覧する際の機能制限を行う。例えば、一般患者に対しては閲覧機能のみを提供し、医師に対してはさらに医用画像情報に階調処理等の画像処理を施すことができる機能を提供する等、医用画像情報を閲覧する者に応じて機能制限を行う。
【００３６】
一般ＰＣ２０は、患者が使用する通常のＰＣである。
図３に、一般ＰＣ２０の機能的構成を示す。
図３に示すように、一般ＰＣ２０は、ＣＰＵ２１、操作部２２、表示部２３、通信部２４、ＲＯＭ２５、ＲＡＭ２６、メディア読み取り部２７等を備えて構成され、各部はバス２８により接続されている。
【００３７】
ＣＰＵ２１は、ＲＯＭ２５に記憶されているシステムプログラムや各種処理プログラムを読み出し、ＲＡＭ２６内に形成されたワークエリアに展開し、該プログラムに従って各部を制御する。
【００３８】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。
【００３９】
表示部２３は、ＬＣＤやＣＲＴ等のモニタにより構成され、ＣＰＵ２１から入力される表示信号の指示に従って、操作部２２からの入力指示やデータ等を表示する。
【００４０】
通信部２４は、ＬＡＮアダプタ、ルータ、ＴＡ等を備え、ネットワークＮに接続された各装置とデータの送受信を行う。
【００４１】
ＲＯＭ２５は、不揮発性の半導体メモリ等により構成され、ＣＰＵ２１で実行されるシステムプログラムや各種処理プログラム、各種データ等を記憶する。これらの各種プログラムは、読み取り可能なプログラムコードの形態で格納され、ＣＰＵ２１は、当該プログラムコードに従った動作を逐次実行する。
【００４２】
ＲＡＭ２６は、ＣＰＵ２１により実行制御される各種処理において、ＲＯＭ２５から読み出された各種プログラム、入力若しくは出力データ、及びパラメータ等を一時的に記憶する記憶領域を形成する。
【００４３】
メディア読み取り部２７は、メディアに書き込まれている医用画像情報及び医用画像情報が保存されている保存先のネットワーク上のアドレス情報を読み取る。
【００４４】
ＣＰＵ２１は、メディア読み取り部２７により読み取られたアドレス情報に基づいて、ネットワークＮを介して医用画像情報の保存先にアクセスする。
【００４５】
次に、第１の実施の形態における動作について説明する。
図４は、データ管理サーバ１０において実行されるメディア書き込み処理を示すフローチャートである。メディア書き込み処理は、ＣＰＵ１１と、ＲＯＭ１６に記憶されたメディア書き込み処理プログラムとの協働によるソフトウェア処理によって実行される。
【００４６】
まず、操作部１２からの操作指示により、記憶装置１５に保存されている医用画像情報の中から、書き込み対象となる医用画像情報が選択される（ステップＳ１）。ここで、複数の医用画像情報が選択された場合には（ステップＳ２；Ｙｅｓ）、操作部１２からの操作指示により、アドレス生成パターンが選択される（ステップＳ３）。アドレス生成パターンは、検査日選択用のアドレス情報、モダリティ選択用のアドレス情報、画像単体選択用のアドレス情報を生成するか否かの組み合わせを示すものであり、ユーザの使用方法に従って選択される。
【００４７】
次に、検査日での指定を行う場合には（ステップＳ４；Ｙｅｓ）、検査日選択用のアドレス情報が生成される（ステップＳ５）。検査日選択用のアドレス情報は、記憶装置１５のその日の対象検査の医用画像情報が保存されているフォルダにリモートアクセスするためのものである。検査日での指定を行わない場合には（ステップＳ４；Ｎｏ）、そのままステップＳ６に移行する。
【００４８】
次に、モダリティでの指定を行う場合には（ステップＳ６；Ｙｅｓ）、モダリティ選択用のアドレス情報が生成される（ステップＳ７）。モダリティ選択用のアドレス情報は、記憶装置１５のそのモダリティで生成された医用画像情報が保存されているフォルダにリモートアクセスするためのものである。
【００４９】
ステップＳ７の後、ステップＳ６においてモダリティでの指定を行わない場合（ステップＳ６；Ｎｏ）、又は、ステップＳ２において医用画像情報が１つだけ選択された場合には（ステップＳ２；Ｎｏ）、画像単体選択用のアドレス情報が生成される（ステップＳ８）。画像単体選択用のアドレス情報は、記憶装置１５のその医用画像情報にリモートアクセスするためのものであり、このアドレス情報には、医用画像を特定するためのＳＯＰインスタンスＵＩＤ等の画像識別情報と、メディア識別情報とが含まれる。ＳＯＰインスタンスＵＩＤは、モダリティのメーカー、機種、機器毎の値、撮影日時等から生成される値であり、画像毎に異なる値が付与される。
【００５０】
次に、他の医用画像情報が選択される場合には（ステップＳ９；Ｙｅｓ）、ステップＳ１に戻り、ステップＳ１〜ステップＳ９の処理が繰り返される。ステップＳ９において他の医用画像情報が選択されない場合には（ステップＳ９；Ｎｏ）、メディア書き込み部１８により、選択した医用画像情報と生成したアドレス情報とがメディアに書き込まれる（ステップＳ１０）。
【００５１】
次に、記憶装置１５に、メディア識別情報とメディアを使用するユーザのアクセス権限とが関連付けられて登録される（ステップＳ１１）。
以上で、メディア書き込み処理が終了する。
【００５２】
このようにして作成されたメディアは、病院Ａの医師から患者へ渡される。患者は、自宅等に設置された一般ＰＣ２０から医用画像を閲覧することができる。
【００５３】
次に、図５を参照して、医用情報提供システム１００における第１の医用情報提供処理を説明する。この処理は、患者が一般ＰＣ２０からデータ管理サーバ１０にアクセスを行い、記憶装置１５に保存されている医用画像を閲覧する際に行われる。
【００５４】
図５に示すように、まず、一般ＰＣ２０において、メディア読み取り部２７にメディアがセットされると（ステップＳ２１）、メディア読み取り部２７により、メディアから医用画像情報及び医用画像情報が保存されている保存先のネットワーク上のアドレス情報が読み取られ、表示部２３に選択画面が表示される（ステップＳ２２）。
【００５５】
図６に、表示部２３に表示される選択画面２３０の例を示す。図６に示すように、選択画面２３０には、患者ＩＤ、名前、性別、検査日、モダリティ等が表示されるとともに、選択領域２３１，２３２に、表示対象となる医用画像の画像番号が選択可能に表示される。選択領域２３１では、１から１０までの画像が選択可能となっており、選択領域２３２では、１のみが選択可能となっている。各画像番号には各医用画像の保存先のアドレス情報が対応付けられており、操作部２２のマウスを操作し、選択画面２３０上で画像番号をクリックすることにより、各画像の保存先へアクセスすることができる。ここでは、画像単体を選択することとしたが、画面中のモダリティとして表示される「ＣＴ」や「ＣＲ」の文字を選択可能としてモダリティで指定するようにしてもよいし、検査日で指定するようにしてもよいし、撮影部位で指定可能としてもよい。
【００５６】
次に、操作部２２からの操作指示により、表示対象となる医用画像の画像番号が選択され、当該画像番号に対応付けられた医用画像の保存先のアドレス情報が選択される（ステップＳ２３）。
【００５７】
次に、一般ＰＣ２０からデータ管理サーバ１０に、ステップＳ２３で選択されたアドレス情報が通知される（ステップＳ２４）。データ管理サーバ１０では、アドレス情報に含まれるメディア識別情報に基づいて、アクセス元のメディア、すなわち、アクセスユーザが識別される（ステップＳ２５）。そして、アドレス情報に含まれる画像識別情報に基づいて、表示対象となる医用画像情報が記憶装置１５から取得される（ステップＳ２６）。また、メディア識別情報に基づいて、記憶装置１５からそのメディア識別情報に対応するユーザのアクセス権限が確認される（ステップＳ２７）。
【００５８】
データ管理サーバ１０では、医用画像情報と、アクセス権限に応じた閲覧機能とが一般ＰＣ２０に提供される（ステップＳ２８）。一般ＰＣ２０では、データ管理サーバ１０から提供された医用画像情報に基づいて、表示部２３に医用画像が表示される（ステップＳ２９）。
以上で、第１の医用情報提供処理が終了する。
【００５９】
以上説明したように、医用情報提供システム１００によれば、メディアに医用画像情報と医用画像情報の保存先のアドレス情報を書き込むので、医用画像情報とは別に閲覧用の画像や閲覧機能アプリケーションを書き込む必要がなくなり、メディアの容量の大半を医用画像情報のために使用することができる。したがって、メディアに効率よく医用画像情報を書き込むことができる。
【００６０】
また、メディアに書き込まれたアドレス情報に含まれるメディア識別情報に基づいてメディアを識別することができる。そして、メディア識別情報に対応するアクセス権限に基づいて医用画像情報を閲覧する際の機能制限を行うので、例えば、一般のユーザに対しては複雑な機能を省くことにより、不用意な操作を防止することができる。
【００６１】
［第２の実施の形態］
次に、図７〜図９を参照して、本発明を適用した第２の実施の形態について説明する。
図７は、第２の実施の形態における医用情報提供システム２００のシステム構成図である。
図７に示すように、医用情報提供システム２００は、病院Ａ内のデータ管理サーバ１０、病院Ｂ内のデータ管理サーバ３０及びクライアント端末４０から構成され、各装置は、ＬＡＮやＷＡＮ等の通信回線からなるネットワークＮにより接続されている。
【００６２】
病院Ａ内のデータ管理サーバ１０の構成については、第１の実施の形態と同様であるため、説明を省略する。また、病院Ｂ内のデータ管理サーバ３０は、データ管理サーバ１０と同様の構成であり、記憶装置１５と同様の記憶装置３５を備え、病院Ｂにおいて生成された医用画像情報等を保存・管理する。
【００６３】
クライアント端末４０は、病院Ｂの医師が医用画像を読影する際に使用する端末であり、一般のＰＣより高性能である。
【００６４】
図８に、クライアント端末４０の機能的構成を示す。
図８に示すように、クライアント端末４０は、ＣＰＵ４１、操作部４２、表示部４３、通信部４４、ＲＯＭ４５、ＲＡＭ４６、メディア読み取り部４７等を備えて構成され、各部はバス４８により接続されている。
【００６５】
ＣＰＵ４１は、ＲＯＭ４５に記憶されているシステムプログラムや各種処理プログラムを読み出し、ＲＡＭ４６内に形成されたワークエリアに展開し、該プログラムに従って各部を制御する。
【００６６】
操作部４２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ４１に出力する。
【００６７】
表示部４３は、ＬＣＤやＣＲＴ等のモニタにより構成され、ＣＰＵ４１から入力される表示信号の指示に従って、操作部４２からの入力指示やデータ等を表示する。
【００６８】
通信部４４は、ＬＡＮアダプタ、ルータ、ＴＡ等を備え、ネットワークＮに接続された各装置とデータの送受信を行う。
【００６９】
ＲＯＭ４５は、不揮発性の半導体メモリ等により構成され、ＣＰＵ４１で実行されるシステムプログラムや各種処理プログラム、各種データ等を記憶する。これらの各種プログラムは、読み取り可能なプログラムコードの形態で格納され、ＣＰＵ４１は、当該プログラムコードに従った動作を逐次実行する。
【００７０】
ＲＡＭ４６は、ＣＰＵ４１により実行制御される各種処理において、ＲＯＭ４５から読み出された各種プログラム、入力若しくは出力データ、及びパラメータ等を一時的に記憶する記憶領域を形成する。
【００７１】
メディア読み取り部４７は、メディアに書き込まれている医用画像情報及び医用画像情報が保存されている保存先のネットワーク上のアドレス情報を読み取る。
【００７２】
ＣＰＵ４１は、メディア読み取り部４７により読み取られたアドレス情報に基づいて、ネットワークＮを介して医用画像情報の保存先にアクセスする。
【００７３】
次に、第２の実施の形態における動作について説明する。
データ管理サーバ１０において実行されるメディア書き込み処理については、第１の実施の形態で説明したメディア書き込み処理と同様であるため、説明を省略する。ただし、第２の実施の形態では、医師によって読影が行われることが前提とされており、記憶装置１５に保存されているメディア識別情報に対応するアクセス権限は医師用に設定されている。メディアは、患者を介して病院Ｂの医師に渡されるか、あるいは、病院Ａから病院Ｂへ直接送付される。
【００７４】
次に、図９を参照して、医用情報提供システム２００における第２の医用情報提供処理を説明する。この処理は、病院Ｂの医師がクライアント端末４０からデータ管理サーバ１０にアクセスを行い、記憶装置１５に保存されている医用画像を閲覧する際に行われる。
【００７５】
図９に示すように、まず、クライアント端末４０において、メディア読み取り部４７にメディアがセットされると（ステップＳ３１）、メディア読み取り部４７により、メディアから医用画像情報及び医用画像情報が保存されている保存先のネットワーク上のアドレス情報が読み取られ、表示部４３に選択画面が表示される（ステップＳ３２）。
【００７６】
次に、操作部４２からの操作指示により、表示対象となる医用画像の画像番号が選択され、当該画像番号に対応付けられた医用画像の保存先のアドレス情報が選択される（ステップＳ３３）。
【００７７】
次に、クライアント端末４０からデータ管理サーバ１０に、ステップＳ３３で選択されたアドレス情報が通知される（ステップＳ３４）。データ管理サーバ１０では、アドレス情報に含まれるメディア識別情報に基づいて、アクセス元のメディア、すなわち、アクセスユーザが識別される（ステップＳ３５）。そして、アドレス情報に含まれる画像識別情報に基づいて、表示対象となる医用画像情報が記憶装置１５から取得される（ステップＳ３６）。また、メディア識別情報に基づいて、記憶装置１５からメディア識別情報に対応するユーザのアクセス権限が確認される（ステップＳ３７）。
【００７８】
データ管理サーバ１０では、医用画像情報と、アクセス権限に応じた閲覧機能とがクライアント端末４０に提供される（ステップＳ３８）。クライアント端末４０では、データ管理サーバ１０から提供された医用画像情報に基づいて、表示部４３に医用画像が表示される（ステップＳ３９）。そして、操作部４２からの操作指示により、必要に応じて階調処理や表示サイズの変更等の画像処理が行われる（ステップＳ４０）。
以上で、第２の医用情報提供処理が終了する。
【００７９】
以上説明したように、医用情報提供システム２００によれば、メディアに医用画像情報と医用画像情報の保存先のアドレス情報を書き込むので、医用画像情報とは別に閲覧用の画像や閲覧機能アプリケーションを書き込む必要がなくなり、メディアの容量の大半を医用画像情報のために使用することができる。したがって、メディアに効率よく医用画像情報を書き込むことができる。
【００８０】
また、アドレス情報に含まれるメディア識別情報に対応するアクセス権限に基づいて医用画像情報を閲覧する際の機能制限を行うので、例えば、専門的な読影を行う医師に対しては階調処理や表示サイズの変更等の画像処理を施すための機能を提供することができる。
【００８１】
［第３の実施の形態］
次に、本発明を適用した第３の実施の形態について説明する。
図１０は、第３の実施の形態における医用情報提供システム３００のシステム構成図である。
図１０に示すように、医用情報提供システム３００は、病院Ａ内のデータ管理サーバ１０、クライアント端末５０，６０，７０から構成され、各装置は、ＬＡＮやＷＡＮ等の通信回線からなるネットワークＮにより接続されている。
【００８２】
データ管理サーバ１０の構成については、第１の実施の形態と同様であるため、説明を省略する。また、クライアント端末５０，６０，７０の構成については、第２の実施の形態で説明したクライアント端末４０と同様であるため、説明を省略する。
【００８３】
第２の実施の形態では、病院Ｂの医師が病院Ａで管理されている医用画像を読影する場合について説明したが、医用情報提供システム３００は、病院Ａ内の他部門の医師が病院Ａで管理されている医用画像を読影することが可能なシステムである。
【００８４】
データ管理サーバ１０において実行されるメディア書き込み処理については、第１の実施の形態で説明したメディア書き込み処理と同様である。ただし、第２の実施の形態と同様に、医師によって読影が行われることが前提とされている。
【００８５】
また、第３の実施の形態における第３の医用情報提供処理については、クライアント端末５０，６０，７０が設置されている場所が異なるだけで、第２の実施の形態で説明した第２の医用情報提供処理と同様であるため、説明を省略する。
【００８６】
したがって、医用情報提供システム３００によれば、メディアに医用画像情報と医用画像情報の保存先のアドレス情報を書き込むので、医用画像情報とは別に閲覧用の画像や閲覧機能アプリケーションを書き込む必要がなくなり、メディアの容量の大半を医用画像情報のために使用することができる。したがって、メディアに効率よく医用画像情報を書き込むことができる。
【００８７】
また、アドレス情報に含まれるメディア識別情報に対応するアクセス権限に基づいて医用画像情報を閲覧する際の機能制限を行うので、例えば、専門的な読影を行う医師に対しては階調処理や表示サイズの変更等の画像処理を施すための機能を提供することができる。
【００８８】
なお、上記各実施の形態における記述は、本発明に係る医用情報提供システムの例であり、これに限定されるものではない。システムを構成する各装置の細部構成及び細部動作に関しても本発明の趣旨を逸脱することのない範囲で適宜変更可能である。
【００８９】
上記各実施の形態では、ＰＤＩに対応したメディア出力において、ＤＩＣＯＭ規格に則った画像ファイルを書き込む場合について説明したが、一般患者等、ＤＩＣＯＭ画像ファイルを直接必要としないユーザの場合には、ＤＩＣＯＭ画像ファイル自体を書き込まずに、アドレス情報のみを書き込むこととしてもよい。
【００９０】
また、上記各実施の形態では、ネットワークＮを介して医用画像を閲覧する場合について説明したが、さらに、医用画像情報に対応する患者情報や検査情報等の画像関連情報についてもリモートアクセス可能としてもよい。
【図面の簡単な説明】
【００９１】
【図１】本発明の第１の実施の形態における医用情報提供システム１００のシステム構成図である。
【図２】データ管理サーバ１０の機能的構成を示すブロック図である。
【図３】一般ＰＣ２０の機能的構成を示すブロック図である。
【図４】メディア書き込み処理を示すフローチャートである。
【図５】第１の医用情報提供処理を示すラダーチャートである。
【図６】選択画面２３０の例を示す図である。
【図７】本発明の第２の実施の形態における医用情報提供システム２００のシステム構成図である。
【図８】クライアント端末４０の機能的構成を示すブロック図である。
【図９】第２の医用情報提供処理を示すラダーチャートである。
【図１０】本発明の第３の実施の形態における医用情報提供システム３００のシステム構成図である。
【符号の説明】
【００９２】
１０  データ管理サーバ
１１  ＣＰＵ
１２  操作部
１３  表示部
１４  通信部
１５  記憶装置
１６  ＲＯＭ
１７  ＲＡＭ
１８  メディア書き込み部
１９  バス
２０  一般ＰＣ
２１  ＣＰＵ
２２  操作部
２３  表示部
２４  通信部
２５  ＲＯＭ
２６  ＲＡＭ
２７  メディア読み取り部
２８  バス
３０  データ管理サーバ
３５  記憶装置
４０  クライアント端末
４１  ＣＰＵ
４２  操作部
４３  表示部
４４  通信部
４５  ＲＯＭ
４６  ＲＡＭ
４７  メディア読み取り部
４８  バス
５０，６０，７０  クライアント端末
１００  医用情報提供システム
２００  医用情報提供システム
３００  医用情報提供システム
Ｎ  ネットワーク
【図１】
2009301072.tif 000003
【図２】
2009301072.tif 000004
【図３】
2009301072.tif 000005
【図４】
2009301072.tif 000006
【図５】
2009301072.tif 000007
【図６】
2009301072.tif 000008
【図７】
2009301072.tif 000009
【図８】
2009301072.tif 000010
【図９】
2009301072.tif 000011
【図１０】
2009301072.tif 000012